(57)【要約】      （修正有）【課題】ロック機構の腐食を防いで扉を適確に開閉可能とする。【解決手段】消防用設備装置は、筐体開口部を上下に２分割して上向きに開閉自在な保守扉２２と下向に開閉自在な消火栓扉１８とを設けた扉構造と、保守扉２２及び消火栓扉１８の各々に設けたロック機構とを備え、下扉ロック機構５６に対する水滴の落下を回避する水滴避け構造を設ける。水滴避け機構は、下扉ロック機構５６に水滴が落下する保守扉２２の下端に、水滴の落下位置を下扉ロック機構５６の位置からずらす折り返し板５８を設ける。【選択図】図５
2011030630.tif 000002
【特許請求の範囲】
【請求項１】
筐体開口部を上下に２分割して上向きに開閉自在な上扉と下向きに開閉自在な下扉とを設けた扉構造と、
前記上扉及び下扉の各々に設けたロック機構と、
を備えた消防用設備装置に於いて、
前記下扉のロック機構に対する水滴の落下を回避する水滴避け構造を設けたことを特徴とする消防用設備装置。
【請求項２】
請求項１記載の消防用設備装置に於いて、前記水滴避け構造は、下扉のロック機構に水滴が落下する上扉の下端に、水滴の落下位置を下扉のロック機構の位置からずらす折り返し板を設けたことを特徴とする消防用設備装置。
【請求項３】
筐体開口部を上下に２分割して上向きに開閉自在な上扉と下向に開閉自在な下扉とを設けた扉構造と、
前記上扉及び下扉の各々に設けたロック機構と、
を備えた消防用設備装置に於いて、
前記上扉の下端と前記下扉の上端の相対する位置の各々に水抜き穴を設け、前記上扉に設けた水抜き穴の穴径に対し前記下扉に設けた水抜き穴の穴径を大きくしたことを特徴とする消防用設備装置。
【請求項４】
筐体開口部を上下に２分割して上向きに開閉自在な上扉と下向に開閉自在な下扉とを設け、前記上扉の下端に水抜き穴を設けた扉構造と、
前記上扉及び下扉の各々に設けたロック機構と、
を備えた消防用設備装置に於いて、
前記上扉及び下扉のロック機構の少なくとも上側及び横側を覆う防水カバーを設けたことを特徴とする消防用設備装置。
【請求項５】
請求項１乃至４のいずれかに記載の消防用設備装置に於いて、前記ロック機構は、マグネット部材と、前記マグネット部材に吸着される受け板と備え、前記マグネット部材と受け板を、扉閉鎖で相対する扉側と筐体側に各々配置したことを特徴とする消防用設備装置。
【発明の詳細な説明】
【技術分野】
【０００１】
本発明は、火災時に扉を開いてノズル付きホース等の消防用機器を操作する消防用設備装置に関する。
【背景技術】
【０００２】
従来、消防用設備装置として例えば高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
このようなトンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。
【０００４】
このような消火栓装置の消火栓扉は開口部を２分割して下側に消火栓扉を下向きに開閉するように配置すると共に上側に保守扉を上向きに開閉するように配置した構造としており、消火栓扉は筐体側にラッチやマグネットを用いたロック機構で固定されており、消火時に消火栓扉を開放方向に引くことで、ラッチやマグネットのロックを解除して開き、ノズル付きホースを引き出して消火作業を行う。
【先行技術文献】
【特許文献】
【０００５】
【特許文献１】特開２００５−３１８９７２号公報
【発明の概要】
【発明が解決しようとする課題】
【０００６】
しかしながら、このような従来の消火栓扉装置にあっては、消火栓装置に水がかかると、ラッチやマグネットによる消火栓扉のロック機構に外部から侵入した水が付着して腐食を起し、消火時の開放動作や、通常時や復旧時の閉鎖作業に支障を来たすという問題がある。
【０００７】
本発明は、ロック機構の腐食を防いで扉を適確に開閉可能とする消防用設備装置を提供することを目的とする。
【課題を解決するための手段】
【０００８】
本発明は、
筐体開口部を上下に２分割して上向きに開閉自在な上扉と下向に開閉自在な下扉とを設けた扉構造と、
上扉及び下扉の各々に設けたロック機構と、
を備えた消防用設備装置に於いて、
下扉のロック機構に対する水滴の落下を回避する水滴避け構造を設けたことを特徴とする。
【０００９】
ここで、水滴避け構造は、下扉のロック機構に水滴が落下する上扉の下端に、水滴の落下位置を下扉のロック機構の位置からずらす折り返し板を設ける。
【００１０】
本発明の別の形態にあっては、
筐体開口部を上下に２分割して上向きに開閉自在な上扉と下向に開閉自在な下扉とを設けた扉構造と、
上扉及び下扉の各々に設けたロック機構と、
を備えた消防用設備装置に於いて、
上扉の下端と下扉の上端の相対する位置の各々に水抜き穴を設け、記上扉に設けた水抜き穴の穴径に対し下扉に設けた水抜き穴の穴径を大きくしたことを特徴とする。
【００１１】
本発明の別の形態にあっては、
筐体開口部を上下に２分割して上向きに開閉自在な上扉と下向に開閉自在な下扉とを設け、上扉の下端に水抜き穴を設けた扉構造と、
上扉及び下扉の各々に設けたロック機構と、
を備えた消防用設備装置に於いて、
上扉及び下扉のロック機構の少なくとも上側及び横側を覆う防水カバーを設けたことを特徴とする。
【００１２】
ロック機構は、マグネット部材と、マグネット部材に吸着される受け板と備え、マグネット部材と受け板を、扉閉鎖で相対する扉側と筐体側に各々配置する。
【発明の効果】
【００１３】
本発明によれば、上下に２分割して配置した扉に水がかかっても、下扉内側のロック機構に対する上扉側からの水滴の落下が回避され、水の付着によりロック機構が腐食して扉開閉に悪影響を及ぼすことがなく、またロック機構の腐食による部品交換を防ぎ、維持管理が簡単で運用コストを低減することができる。
【図面の簡単な説明】
【００１４】
【図１】本発明による消火栓装置の実施形態を正面から示した説明図
【図２】図１について扉側を外して本体内部構造を示した正面図
【図３】図１について扉の開放状態を示した側面図
【図４】図１について扉のロック機構を示した内部側面図
【図５】本発明による水滴避け構造の実施形態を示した説明図
【図６】本発明による水抜き穴の実施形態を示した説明図
【図７】図６の水抜き穴を内部から見た正面図として示した説明図
【図８】本発明による防水カバーの実施形態を示した説明図
【図９】図８の防水カバーを取り出して示した説明図
【発明を実施するための形態】
【００１５】
図１は本発明による消防用設備装置として消火栓装置を例に取って、その実施形態を正面から示した説明図である。図１において、消火栓装置１０は消火栓側の筐体１２−１と消火器側の筐体１２−２に分割した構造であり、前面に化粧板１４−１，１４−２を装着しており、筐体１２−１、１２−２に対し必要な機器及び部材を組み付けた後に、連結固定部１５で固定した状態とし、この状態でトンネル現場に搬入して架台１１上に配置している。
【００１６】
化粧板１４−１，１４−２には扉開口部１６，１７が設けられている。筐体１２−１の扉開口部１６には開口部を上下に２分割して上扉としての保守扉２２と下扉としての消火栓扉１８が設けられ、その内部にホース収納空間及びバルブ収納空間を形成している。
【００１７】
消火栓扉１８は下側のヒンジ２１を中心に前方に開閉することができ、消火栓扉１８の上部両側の内部に設けた下扉ロック機構５６により扉を閉鎖状態に保持しており、ハンドル２０に手を入れて手前に引くと下扉ロック機構５６のロックが外れ、開くことができる。
【００１８】
消火栓扉１８の上側に配置した保守扉２２は、ヒンジ２３により上向きに開閉することができる。保守扉２２は下部両側の内部に設けた上扉ロック機構５４により閉鎖状態に保持されており、点検時に消火栓扉１８を開いて上向きに引くことでロックが外れて開くことができる。
【００１９】
本実施形態において、消火栓扉１８の下扉ロック機構５６と保守扉２２の上扉ロック機構５４は、マグネットとマグネットに吸着する受け板を用いたマグネットロック機構を使用している。
【００２０】
筐体１２−２の扉開口部１７の右側には通報装置扉２４が設けられ、ここに赤色表示灯２６、発信機２８及び応答ランプ３０を設けている。なお通報装置扉２４の内側には、図２に示すように電話ジャック３１を設けている。
【００２１】
赤色表示灯２６は常時点灯し、消火栓装置１０の設置場所を遠方から分かるようにしている。火災時には発信機２８を押してスイッチ釦をオンすると、発信信号が監視室の火災受信機に送信されて火災警報が出され、これに伴い応答信号が火災受信機から送られて応答ランプ３０を点灯するようにしている。
【００２２】
扉開口部１７の左側には消火器扉３２が設けられ、消火器扉３２の内部を消火器収納空間とし、例えば２本の消火器を収納している。消火器扉３２にはハンドル３４が設けられ、ハンドル３４を手前に引くとロックが外れ、左側をヒンジとして前方に開くことができる。また消火器扉３２の下側には覗き窓３５が設けられ、外部から消火器の収納状態を確認できるようにしている。
【００２３】
図２は図１の実施形態について、筐体１２−１側の消火栓扉を外し、保守扉２２は上向きに開いてステイ２７で支持した状態で内部構造を示した正面図である。図２において、筐体１２−１の左側にはホース収納空間３６が形成され、右側にバルブ類収納空間３８を形成している。
【００２４】
ホース収納空間３６にはフレームパイプを屈曲して水平方向で上下に配置したフレーム部分を持つバケットフレーム４０が配置され、内部にホース収納空間３６を形成している。バケットフレームの中央から右側にオフセットした位置、即ち扉開口部１６の左右方向におけるほぼ中央となる位置にＵ字型パイプフレームを固定することで、縦方向に２本のホースガイドを位置させて、ホース取出し口４５を仕切り形成している。更にホース取出し口４５の下側には、前方に張出し形成された張出しホースガイド４７を設けている。
【００２５】
ホース取出し口４５を仕切り形成するホースガイド４２及び張出しホースガイド４７は、ホース４４を引き出す際に、内巻きしているホース４４が崩れたり、扉開口部１６に擦れてホース４４が損傷したり折れたりすることを防ぎ、更に開放している消火栓扉１８の右端または左端にホース４４が引っかかって引き出せなくなることを防ぐ。
【００２６】
バケットフレーム４０及び筐体内壁で囲まれたホース収納空間３６には、ホース４４が内巻きして収納されている。ここで右側のバルブ類収納空間３８の下側にはホース接続口が配置されており、そこにホース４４の内側を接続した後、ホース収納空間３６に扉開口部１６から見て右巻きとなるようにホース４４を巻き込んでいる。
【００２７】
バルブ類収納空間３８には、ポンプ設備からの配管が接続される消火栓接続口からホース接続口に至る配管系統に、排水弁、自動調圧弁、自動排水弁及びメンテナンス装置を設けている。この内、消火栓弁には消火栓弁開閉レバー５２が設けられ、消火栓弁開閉レバー５２を図示の閉位置から下側の開位置に押し下げることで、ポンプ設備に対し制御信号が送られて消火ポンプが起動し、ホース４４の先端のノズル４８を引き出すことで消火用水を放水することができる。
【００２８】
図３は図１について扉の開閉状態を示した側面図である。図３は筐体１２−１側の側面を示しており、消火栓扉１８のハンドルを手前に引いて磁気的吸着によるロックを解除すると、ヒンジ２１を中心に下向きに回動し、図示のほぼ水平となる位置に消火栓扉１８を開くことができる。また保守扉２２は上向きに開くことができ、上向きの開放状態はステイ２７の支持で保持できる。
【００２９】
消火栓扉１８のロック機構は、筐体１２−２側に設けた下扉マグネットと消火栓扉１８の内側に設けた受け板５６−２で構成され、下扉マグネット５６−１に消火栓扉１８の受け板５６−２を閉鎖位置で磁気的に吸着することで閉鎖状態を保持できる。
【００３０】
保守扉２２のロック機構は、筐体１２−１側に設けた上扉マグネット５４−１と保守扉２２の内側に設けた受け板５４−２で構成され、上扉マグネット５４−１に受け板５４−２を磁気的に吸着することで保守扉２２を閉鎖位置に保持することができる。
【００３１】
図４は図１について扉閉鎖状態でのロック機構を示した説明図である。図４において、消火栓扉ロック機構５６は筐体１２−１側、具体的には化粧板１４−１の背後のフレーム部分に下扉マグネット５６−１をビス止めにより固定し、下扉マグネット５６−１に相対する消火栓扉１８の閉鎖状態での相対する位置に受け板５６−２を皿ビスにより固定し、消火栓扉１８の閉鎖位置で、下扉マグネット５６−１で受け板５６−２を磁気的に吸着保持している。
【００３２】
保守扉２２の上扉ロック機構５４も同様に、筐体１２−１側に上扉マグネット５６−１をビスにより固定し、上扉マグネット５６−１に相対する閉鎖状態での保守扉２２側の位置に受け板５４−２を皿ビスにより固定し、上扉マグネット５６−１による受け板５４−２の磁気的な吸着で保守扉２２を閉鎖位置に保持している。
【００３３】
図５は本発明による水滴避け構造の実施形態を示した説明図である。図５において、上扉となる保守扉２２及び下扉となる消火栓扉１８の内側縦枠の扉合せ部分には、それぞれ受け板５４−２，５６−２が皿ビスにより固定されており、消火栓扉側に示すように、筐体側に固定された下扉マグネット５６−１に対し、受け板５６−２を磁気的に吸着して消火栓扉１８を閉鎖位置に保持している。なお保守扉２２側については、上扉マグネット５６−１は省略している。保守扉２２の側面上部にはヒンジ２３を通す穴２３ａを備えている。
【００３４】
このような保守扉２２及び消火栓扉１８に外部から消火用水がかかった場合、保守扉２２の内側に入った水は下端の内側張出し部分から下側に位置する消火栓扉１８に設けている下扉ロック機構５６に水滴として落下し、そのままでは下扉マグネット５６−１と受け板５６−２の吸着部分に水滴が付着し、それぞれの吸着面が腐食を起こすことになる。
【００３５】
そこで図５の実施形態にあっては、保守扉２２の右端内側に屈曲形成している内側縦枠２２ａの下端を横方向に延在して折返し板５８を形成しており、折返し板５８を形成することで、保守扉２２の下端に入った水が水滴として直接、消火栓扉１８の下扉ロック機構５６に落ちて水滴が付着することを回避するようにしている。
【００３６】
図６は本発明の他の実施形態を示した説明図であり、水抜き構造を設けたことを特徴とする。図６において、消火栓扉１８の上側に配置された保守扉２２の構造として、この実施形態にあっては、保守扉２２の下部内側に上向きの折返し部２２ｂを一体に屈曲形成している。この折返し部２２ｂを設けた場合、保守扉２２の内側に水が入ると、折返し部２２ｂにより水が下側に溜まるようになる。
【００３７】
そこで本実施形態にあっては、保守扉２２に設けた受け板５４側の下端に水抜き穴６２を設け、この水抜き穴６２に相対した消火栓扉１８の上端に水抜き穴６４を設けている。ここで保守扉２２の水抜き穴６２の穴径Ｄ１に対し消火栓扉１８の水抜き穴６４の径Ｄ２を大きくしており、水抜き穴６２から流れ出した水を穴径の大きな水抜き穴６４で確実に受けるようにしている。
【００３８】
また消火栓扉１８の内側下端には水抜き穴６６が設けられ、水抜き穴６４を通って扉内側に入った水を外部に排出するようにしている。
【００３９】
図７は図６の水抜き穴を内部から見た正面図として示した説明図である。図７から明らかなように、保守扉２２の折返し部２２ｂの底部となる下端部に設けた水抜き穴６２に相対して消火栓扉１８の上端に水抜き穴６４を設けており、水抜き穴６２に対し水抜き穴６４の穴径を大きくし、上部の水抜き穴６２から流れ出した水を確実に下部の水抜き穴６４で受け、水抜き穴６２から流れ出した水が下扉ロック機構に付着しないようにしている。
【００４０】
このように上扉としての保守扉２２に水抜き穴６２を設け、また下扉としての消火栓扉１８に水抜き穴６４，６６を設けたことにより、保守扉２２や消火栓扉１８の周囲の隙間から入った水は、扉内側の縦枠に取り付けている上扉ロック機構及び下扉ロック機構を回避するようにして流れ落ちて付着せず、その腐食を確実に防止することができる。
【００４１】
図８は本発明の他の実施形態を示した説明図であり、この実施形態にあっては上扉ロック機構および下扉ロック機構の各々に防水カバーを設けたことを特徴とする。図８において、保守扉２２に設けた上扉ロック機構５４は、この実施形態にあっては、上扉マグネット５４−１を保守扉２２側に取り付け、受け板５４−２を筐体１２−１側に取り付けている。同様に消火栓扉１８についても、下扉ロック機構５６は下扉マグネット５６−１を消火栓扉１８に取り付け、受け板５６−２を筐体１２−１に取り付けている。
【００４２】
このような保守扉２２と消火栓扉１８のロック機構につき、この実施形態にあっては、
保守扉２２の内側に防水カバー７０−１を配置して上扉ロック機構５４の上側及び横側を覆うようにし、また、消火栓扉１８の内側に防水カバー７０−２を配置して下扉ロック機構５６の上側及び横側を覆うようにしている。
【００４３】
保守扉２２は図７の実施形態と同様、下部内側に折返し部２２ｂを一体に形成しており、このため下端部に水抜き穴６２を形成し、水抜き穴６２に相対した消火栓扉１８の上端部に水抜き穴６４を形成している。
【００４４】
図９は図８の防水カバー７０−１を取り出して示した説明図である。防水カバー７０−１は、合成樹脂などで作られており、斜め上向きに傾斜した屋根部７２ａ、屋根部７２ａに続く取付部７２ｂ、及び側壁部７２ｃを備え、取付部７２ｂに設けた取付穴７４により図８に示すように、扉内側の上扉マグネット５４−１の上側および横側を覆って配置される。図８の防水カバー７０−２も同じである。側壁部７２ｃは保守扉の外周側に備えることで、扉の周囲の隙間から入った水がマグネット側に入り込むのを防いでいる。
【００４５】
このように保守扉２２の上扉ロック機構５４および消火栓扉１８の下扉ロック機構５６の各々に防水カバー７０−１，７０−２を配置することで、保守扉２２や消火栓扉１８と筐体との隙間に当たって水が流れ込んでも、防水カバー７０−１，７０−２によって上扉ロック機構５４および下扉ロック機構５６に付着せず、その腐食を確実に防止することができる。
【００４６】
なお、図８のマグネットと受け板の配置は、図５のように扉側に受け板を設け、筐体側にマグネットを設けても良い。このように配置を逆にした場合にも、防水カバー７０は受け板５４を囲うように配置する。
【００４７】
防水カバー７０はマグネットの左右側面を覆うようにしても良い。
【００４８】
さらに筐体側に設けたマグネットや受け板の周囲を覆うように防水カバー７０を筐体側にも設けることで、筐体側を伝わる水滴が筐体側ロック部材にかかることを防止するようにしても良い。
【００４９】
なお上記の実施形態はロック機構としてマグネットと受け板を用いた磁気的に吸着するロック機構を例に取るものであったが、ラッチ爪とラッチ機構を組み合わせて機械的にロックするラッチ機構を用いた場合についても、上記の各実施形態を同様に適用することができる。
【００５０】
また上記の実施形態は消防用設備装置として消火栓装置を例に取るものであったが、本発明はこれに限定されず、消防用の機器を収納する上下に２分割して、上扉を上向き、下扉を下向きに開閉自在とした扉構造を持つ適宜の消防用設備装置につき本発明をそのまま適用することができる。
【００５１】
また、図４において、上扉マグネット５４−１と下扉マグネット５６−１を２つ用意して各扉用にマグネットをそれぞれ備えているが、これに限らず、両受け板５４−２、５６−２を共にロックできる一つの図４よりも縦に長いマグネットを備えるロック機構を兼用するようにしてもよい。
【００５２】
また本発明はその目的と利点を損なうことのない適宜の変形を含み、更に上記の実施形態に示した数値による限定は受けない。
【符号の説明】
【００５３】
１０：消火栓装置
１２−１，１２−２：筐体
１８：消火器扉
２２：保守扉
５４：上扉ロック機構
５４−１：上扉マグネット
５４−２，５６−２：受け板
５６：上扉ロック機構
５６−１：上扉マグネット
５８：折り返し板
６０，６２，６４，６６：水抜き穴
７０−１，７０−２：防水カバー
【図１】
2011030630.tif 000003
【図２】
2011030630.tif 000004
【図３】
2011030630.tif 000005
【図４】
2011030630.tif 000006
【図５】
2011030630.tif 000007
【図６】
2011030630.tif 000008
【図７】
2011030630.tif 000009
【図８】
2011030630.tif 000010
【図９】
2011030630.tif 000011